(57)【要約】【課題】低音域の音が出力可能であって、音の出力と同時に音入力部に音が入力される場合であっても、低音域の音に起因する音響エコーを抑制できる音響装置を提供する。【解決手段】音響装置１は、前側筐体３１と後側筐体３２を備える。前側筐体３１の前壁部にはスピーカとマイクロフォンが前方に向かって露出している。後側筐体３２の後壁部５４には、パッシブラジエータ５が後方に向かって露出する。後壁部５４には、パッシブラジエータ５を上下から挟みながら左右方向に延びる上側案内部８１及び下側案内部８２が設けられる。振動抑制部材７は、上側案内部８１及び下側案内部８２に沿ってスライド可能である。これにより、振動抑制部材７は、パッシブラジエータ５の振動を抑制する抑制位置と、振動を抑制しない開放位置との間をスライドできる。【選択図】図２
2014150473.tif 000002
【特許請求の範囲】
【請求項１】
音を出力するスピーカと、
前記スピーカを内側に設けた筐体と、
前記筐体の一の壁部に設けた開口孔を閉塞し、前記筐体の前記内側の空間を前記スピーカと共有するパッシブラジエータと、
前記筐体に設けられた支持部によって支持され、前記パッシブラジエータの振動が抑制される第一位置と、前記パッシブラジエータの前記振動が抑制されない第二位置との間を移動可能な振動抑制部材と、
前記筐体に設けられ、前記筐体の外側で発生する音を入力可能な音入力部とを備えたことを特徴とする音響装置。
【請求項２】
前記第一位置において、前記振動抑制部材は前記壁部の外側に配置されることを特徴とする請求項１に記載の音響装置。
【請求項３】
前記第一位置において、前記振動抑制部材は、前記パッシブラジエータを前記筐体の前記外側から覆うことを特徴とする請求項１又は２に記載の音響装置。
【請求項４】
前記第一位置において、前記振動抑制部材は前記パッシブラジエータから離間していることを特徴とする請求項３に記載の音響装置。
【請求項５】
前記支持部は、
前記壁部の外側面に前記パッシブラジエータを挟んで設けられた一対の案内部であり、
前記振動抑制部材は、
前記一対の案内部に沿って、前記第一位置と前記第二位置との間をスライド可能であることを特徴とする請求項２から４の何れかに記載の音響装置。
【請求項６】
前記音入力部は、前記振動抑制部材が前記第一位置から前記第二位置へとスライドする方向に、前記パッシブラジエータから離間して前記筐体に設けられたマイクロフォンであり、
前記第二位置において、前記振動抑制部材は前記第一位置にある場合よりも前記マイクロフォンに接近することを特徴とする請求項５に記載の音響装置。
【請求項７】
前記一対の案内部は、
前記外側面から突出する凸状であって、
表面の少なくとも一部に、前記振動抑制部材がスライドする方向に沿って設けられ、前記振動抑制部材の振動を吸収する振動吸収部材をさらに備え、
前記振動吸収部材は、前記第一位置にある前記振動抑制部材と接触することを特徴とする請求項５又は６に記載の音響装置。
【発明の詳細な説明】
【技術分野】
【０００１】
本発明は、音を出力可能な音響装置に関する。
【背景技術】
【０００２】
従来、音楽再生時等に重厚感ある音を出力する為に、人の声の帯域よりも低い低音域の音を出力可能な音響装置が知られている。例えば、特許文献１に開示の音響装置は、筐体内の密閉室内にスピーカボックスと、パッシブラジエータとを備える。低音域においては、スピーカの振動に応じてパッシブラジエータが共振する。音響装置は、密閉室の縮小化に伴って密閉室内の空気の圧縮が制限されても、低音域を含む音を出力できる。また、特許文献１に開示の音響装置は、筐体内にマイクロフォンをさらに設け、通信機器に接続した場合には、スピーカフォンとして機能する。スピーカフォンは、例えば、遠隔地にいる他者と会話を行う為に用いられる。スピーカフォンは、また、音楽再生などにも用いられる。
【先行技術文献】
【特許文献】
【０００３】
【特許文献１】特開平９−３７３７６号公報
【発明の概要】
【発明が解決しようとする課題】
【０００４】
しかし、上記スピーカフォンでは、スピーカの発音時にマイクロフォンが収音すると、パッシブラジエータから出力された低音域の音がマイクロフォンに収音され、音響エコーが発生するおそれがあった。
【０００５】
本発明は、低音域の音が出力可能であって、音の出力と同時に音入力部に音が入力される場合であっても、低音域の音に起因する音響エコーを抑制できる音響装置を提供することを目的とする。
【課題を解決するための手段】
【０００６】
本発明に係る音響装置は、音を出力するスピーカと、前記スピーカを内側に設けた筐体と、前記筐体の一の壁部に設けた開口孔を閉塞し、前記筐体の前記内側の空間を前記スピーカと共有するパッシブラジエータと、前記筐体に設けられた支持部によって支持され、前記パッシブラジエータの振動が抑制される第一位置と、前記パッシブラジエータの前記振動が抑制されない第二位置との間を移動可能な振動抑制部材と、前記筐体に設けられ、前記筐体の外側で発生する音を入力可能な音入力部とを備えたことを特徴とする。
【０００７】
本発明に係る音響装置では、振動抑制部材が第二位置にある場合、パッシブラジエータがスピーカの振動に応じて振動することで、音響装置は、低音域を含む音を出力する。振動抑制部材が第一位置にあることで、パッシブラジエータは振動が抑制される。この場合、音響装置は、低音域の音の出力を抑制する。従って、スピーカから音が出力されると同時に、筐体の外側で発生する音が音入力部に入力される場合であっても、音響装置は、低音域の音に起因する音響エコーを抑制できる。
【０００８】
また、前記音響装置では、前記第一位置において、前記振動抑制部材は前記壁部の外側に配置されていてもよい。振動抑制部材が第一位置にある状態で、パッシブラジエータが音を出力する場合であっても、出力される音は、筐体の外側にある空気等の気体に伝播しにくくなる。この結果、パッシブラジエータが出力する音は、音入力部に入力されにくくなる。それ故、音響装置は、低音域の音に起因する音響エコーを更に抑制できる。また、振動抑制部材が壁部の内側に設けられる場合と比較して、音響装置は、筐体内部の空間を広く確保できる。そのため、スピーカが音を出力する際に、筐体内部の空気の圧縮が制限されにくい。従って、音響装置は良好な音質の音を出力できる。
【０００９】
また、前記音響装置では、前記第一位置において、前記振動抑制部材は、前記パッシブラジエータを前記筐体の前記外側から覆ってもよい。第一位置にある振動抑制部材は、パッシブラジエータが振動抑制部材の外側にある気体と接触するのを制限する。パッシブラジエータが出力する音は、振動抑制部材の外側にある気体に更に伝播しにくくなる。従って、音響装置は、低音域の音に起因する音響エコーを更に抑制できる。
【００１０】
また、前記音響装置では、前記第一位置において、前記振動抑制部材は前記パッシブラジエータから離間していてもよい。音響装置は、抑制位置にある振動抑制部材の内側にある気体と外側にある気体との連通を制限し、内側にある気体を外側に漏れにくくする。これにより内側にある気体は、パッシブラジエータが振動する場合であっても、該振動を吸収する。この結果、パッシブラジエータの振動は更に抑制される。従って、音響装置は、低音域の音声に起因する音響エコーを更に抑制できる。また、振動抑制部材には、パッシブラジエータの振動が直接伝播することはない。従って、音響装置は、パッシブラジエータの振動に伴って振動抑制部材が異音を発生する事態を抑制できる。
【００１１】
また、前記音響装置において、前記支持部は、前記壁部の外側面に前記パッシブラジエータを挟んで設けられた一対の案内部であり、前記振動抑制部材は、前記一対の案内部に沿って、前記第一位置と前記第二位置との間をスライド可能であってもよい。パッシブラジエータの振動が抑制される状態と、振動が抑制されない状態との切替えが、振動抑制部材をスライドさせるのみで可能となる。従って、音響装置は操作性を向上できる。
【００１２】
また、前記音響装置において、前記音入力部は、前記振動抑制部材が前記第一位置から前記第二位置へとスライドする方向に、前記パッシブラジエータから離間して前記筐体に設けられたマイクロフォンであり、前記第二位置において、前記振動抑制部材は前記第一位置にある場合よりも前記マイクロフォンに接近してもよい。振動抑制部材は、第一位置から第二位置へとスライドすることで、マイクロフォンに近づく。振動抑制部材が第二位置にある状態で音が出力されている際に、マイクロフォンが収音する場合であっても、パッシブラジエータから出力される音は、マイクロフォンに伝播しにくい。従って、音響装置は、振動抑制部材が第二位置にある場合であっても、低音域の音に起因する音響エコーを抑制できる。
【００１３】
また、前記音響装置において、前記一対の案内部は、前記外側面から突出する凸状であって、表面の少なくとも一部に、前記振動抑制部材がスライドする方向に沿って設けられ、前記振動抑制部材の振動を吸収する振動吸収部材をさらに備え、前記振動吸収部材は、前記第一位置にある前記振動抑制部材と接触してもよい。振動抑制部材が第一位置にある場合に、パッシブラジエータが出力した低音域の音が振動抑制部材に伝播しても、振動吸収部材が振動抑制部材の振動を吸収する。従って、音響装置は、パッシブラジエータの振動に伴って振動抑制部材が異音を発生する事態を更に抑制できる
【図面の簡単な説明】
【００１４】
【図１】音響装置１を前側左斜め上方からみた斜視図である。
【図２】振動抑制部材７が開放位置にある場合における音響装置１を後側右斜め上方からみた斜視図である。
【図３】振動抑制部材７が開放位置にある場合における図１のＩ−Ｉ線矢視方向断面図である。
【図４】図２におけるＩＩ−ＩＩ線矢視方向断面図である。
【図５】図４におけるパッシブラジエータ５、振動抑制部材７、上側案内部８１、及び下側案内部８２の部分拡大図である。
【図６】振動抑制部材７が抑制位置にある場合における音響装置１を後側右斜め上方からみた斜視図である。
【図７】振動抑制部材７が抑制位置にある場合における図１のＩ−Ｉ線矢視方向断面図である。
【発明を実施するための形態】
【００１５】
以下、本発明の実施形態ついて、図面を参照して説明する。以下では、通信を行う通信装置（図示外）に接続された状態で、ユーザが音声通話又は音楽等の音を再生する場合に使用される音響装置１（所謂スピーカフォン）を例示して説明を行う。
【００１６】
音響装置１は、パーソナルコンピュータ又はスマートフォン等の通信機器（図示外）に接続される。音響装置１は、通信機器によって受信された音のデータである音データに従って、人の音声又は音楽等の音を出力する。また、音響装置１は、周囲で発生する音を収音する。収音された音の音データは、通信機器によって他の拠点に送信される。これにより、ユーザは、音響装置１を用いて遠隔地にいる他のユーザとの間でハンズフリーの音声通話を行うことができる。さらに、音響装置１は、ユーザが所望の音楽等の音を再生したい場合には、通信機器から受信する音データに基づいて、音楽等の音を再生することもできる。
【００１７】
図１から図５を参照して、音響装置１の全体構成について説明する。図１において、紙面の上側、下側、右下側、左上側、右上側、左下側、をそれぞれ音響装置１の上側、下側、前側、後側、右側、左側として説明する。図１及び図２に示すように、音響装置１は、略直方体状の筐体３を備える。筐体３は、音響装置１の前側を形成する前側筐体３１と、後側を形成する後側筐体３２とから少なくとも構成される。
【００１８】
前側筐体３１は、前壁部４４と、上壁部４５と、右壁部４６と、底壁部４７と、左壁部４８とを備える。前壁部４４は、正面視で矩形状の板状の部分であり、音響装置１の前側を覆う。上壁部４５は、前壁部４４の上端部から後方に延びる板状の部分である。同様に、右壁部４６は前壁部４４の右端部から、底壁部４７は前壁部４４の下端部から、左壁部４８は前壁部４４の左端部から、それぞれ後方に延びる板状の部分である。前壁部４４の略中央には、後方に向かってやや凹む凹部１１が左右方向に亘って形成される。図示しないが、凹部１１には、網状のカバー部材が配置される。後述するスピーカ６及びマイクロフォン４の正面は、カバー部材によって保護される。前壁部４４の内側面の中央部には、背面視で環状且つ矩形状の立壁４１（図３、図４参照）が設けられる。前後方向において、立壁４１は前壁部４４の内側面から筐体３の内側の略中央まで延びる。
【００１９】
上壁部４５の略中央部には、左右方向に並ぶ４つのスイッチ１２が設けられている。左壁部４８には、上から順に、ヘッドフォンジャック１３、スマートフォンジャック１４、及びＵＳＢジャック１５が設けられている。図示しないが、４つのスイッチ１２、ヘッドフォンジャック１３、スマートフォンジャック１４、及びＵＳＢジャック１５は、筐体３の内側にて、後述する回路基板１６（図３参照）に実装されている。
【００２０】
図２に示すように、後側筐体３２は、後壁部５４と、上壁部５５と、右壁部５６と、底壁部５７と、左壁部５８とを備える。後壁部５４は、背面視で矩形状の板状の部分であり、音響装置１の後側を覆う。上壁部５５は、後壁部５４の上端部から前方斜め上方に延びる板状の部分である。右壁部５６は後壁部５４の右端部から、底壁部５７は後壁部５４の下端部から、左壁部５８は後壁部５４の左端部から、それぞれ前方に延びる板状の部分である。前側筐体３１の外周縁の形状と後側筐体３２の外周縁の形状は一致し、互いに接続する。すなわち、上壁部５５は上壁部４５に、右壁部５６は右壁部４６に、底壁部５７は底壁部４７（図１参照）に、左壁部５８は左壁部４８（図１参照）に、それぞれ接続する。後壁部５４の内側面の中央部には、正面視で環状且つ矩形状の立壁５１（図３及び図４参照）が設けられる。前後方向において、立壁５１は、後壁部５４の内側面から筐体３の内側の略中央まで延びる。
【００２１】
図３、図４に示すように、環状且つ矩形状の立壁４１の後端部及び立壁５１の前端部は、前後方向に投影した形状が一致する。立壁４１，５１は、正面視で環状且つ矩形状の弾性部材２３を介して、互いに接続する。これにより、筐体３の内側においては、立壁４１，５１の内側に第一密閉室２１が形成され、外側に第二密閉室２２が形成される。尚、弾性部材２３は、例えば、ゴムなどの合成樹脂で形成される。
【００２２】
筐体３は内部に、回路基板１６と、スピーカ６と、パッシブラジエータ５と、マイクロフォン４とを備える。回路基板１６は正面視で矩形状の板状であり、中央部に円形の開口孔（図示外）を有する。回路基板１６は、開口孔に立壁４１が挿通される状態で、第二密閉室２２内に設けられる。回路基板１６は、立壁４１に設けた切欠部（図示外）に挿通されるケーブル（図示外）を介して、スピーカ６と電気的に接続されている。尚、切欠部とケーブルとの間及びケーブルと弾性部材２３との間のそれぞれには、隙間は発生しない。また、回路基板１６はマイクロフォン４とも、別のケーブル（図示外）を介して電気的に接続している。
【００２３】
スピーカ６は、前後方向に延びる略円筒状をなし、筐体３の内側である第一密閉室２１内に配置される。スピーカ６は、凹部１１の略中央部に設けた円形の開口孔１０を閉塞しながら、前壁部４４から前方に露出している（図１参照）。スピーカ６は、後端部を形成する磁石収納部６１と、前端部を形成する音出力部６２とを備える。磁石収納部６１には、前後方向に貫通する孔部を有する筒状の磁石（図示外）と、該磁石の孔部の内側に設けられたコイル（図示外）とが収納されている。音出力部６２は、略円筒状で且つ前端面が後方に向かって湾曲する。音出力部６２には振動板（図示外）等が収納される。コイルに電流が流れることで、コイル内側に磁界が発生し、磁石は磁石収納部６１内部で前後方向に往復移動する。これにより振動板が振動し、音出力部６２は前方に向けて音を出力できる。
【００２４】
パッシブラジエータ５は、背面視で略円形の板状部材であり（図２参照）、第一密閉室２１に配置される。パッシブラジエータ５は、後壁部５４の略中央部に設けた開口孔２０を閉塞しながら、後壁部５４から後方に露出する（図２参照）。パッシブラジエータ５は、前方向に湾曲する状態及び後方向に湾曲する状態を繰り返すことで、振動する構成となっている。また、パッシブラジエータ５は、第一密閉室２１内の空間をスピーカ６と共有する。これにより、パッシブラジエータ５は、人の声の帯域よりも低い低音域において、音出力部６２の振動板（図示外）の振動に共振し、低音域の音を出力できる。
【００２５】
図１に示すように、マイクロフォン４は、前後方向に延びる円柱状をなす。マイクロフォン４は、筐体３の外側で発生する音を入力可能な音入力部であり、本実施形態においては小型のコンデンサマイクロフォンである。マイクロフォン４は、第二密閉室２２内（図３参照）であって、パッシブラジエータ５よりも右側に配置される。マイクロフォン４は、凹部１１の右側上部に設けた開口孔９を閉塞しながら、前壁部４４から前方に露出する。マイクロフォン４の内部に設けた円柱状の本体部（図示外）は、筐体３の外側で発生する音を収音できる。
【００２６】
図２に示すように、後壁部５４の外側には上側案内部８１と、下側案内部８２と、当接部８５と、振動吸収部材８６と、振動抑制部材７とが設けられる。上側案内部８１及び下側案内部８２は、上下で一対の案内部であり、振動抑制部材７を左右方向に案内できる。上側案内部８１は、後壁部５４から後方へ突出する凸部であり、パッシブラジエータ５の上側で左右方向に延びる。上側案内部８１の後端部８１Ａ（図５参照）は、上方に向かって僅かに突出する。これにより、上側案内部８１と後壁部５４との間には、溝８１Ｂが左右方向に亘って形成される。下側案内部８２は、パッシブラジエータ５に対して上側案内部８１と対称の形状をなす。すなわち、下側案内部８２は、後壁部５４から後方へ突出する凸部であり、後端部８２Ａ(図５参照)は下方に向かって僅かに突出する。これにより、下側案内部８２と後壁部５４との間には、溝８２Ｂが左右方向に亘って形成される（図５参照）。
【００２７】
当接部８５は、後壁部５４から後方へ突出する凸部である。当接部８５は、パッシブラジエータ５の左側において上下方向に延びる。当接部８５は、右端部を形成する第一当接部８５Ａと、左端部を形成する第二当接部８５Ｂとを備える。第一当接部８５Ａは、上側案内部８１の左端部と下側案内部８２の左端部とを接続する。第一当接部８５Ａの後端面は、上側案内部８１及び下側案内部８２の後端面と同一平面上に位置する。第二当接部８５Ｂは、第一当接部８５Ａよりも更に後方へ後壁部５４から突出する。上下方向において、第二当接部８５Ｂは、上側案内部８１及び下側案内部８２の外側まで延びる。
【００２８】
振動吸収部材８６は、背面視で左側が開口する環状且つ矩形状であり、ゴムやスポンジ等から形成される。振動抑制部材７は、上側案内部８１、下側案内部８２、及び第一当接部８５Ａの後端面に設けられる。振動抑制部材７は、上側案内部８１の表面の一部である後端面及び下側案内部８２の表面の一部である後端面において、左右方向に延びる。振動吸収部材８６は、振動抑制部材７が抑制位置（後述）に位置する場合に、パッシブラジエータ５の振動を吸収できる。
【００２９】
振動抑制部材７は、背面視で矩形状の板状部材であり、パッシブラジエータ５から離間した状態で上側案内部８１及び下側案内部８２に取り付けられる。つまり、振動抑制部材７は、後壁部５４の外側に配置される。振動抑制部材７は、後壁部７１と、上壁部７２と、下壁部７３と、右壁部７４とを備える。上壁部７２は後壁部７１の上端部から前方に立設する板状の部分である。同様に、下壁部７３は後壁部７１の下端部から、右壁部７４は後壁部７１の右端部から、それぞれ前方に立設する板状の部分である。
【００３０】
図５に示すように、上壁部７２の前端部７２Ａは下方に向かって僅かに突出している。これにより、前端部７２Ａは溝８１Ｂに上方から入り込む。これにより、前端部７２Ａは後端部８１Ａ及び後壁部５４によって挟まれる。従って、上壁部７２は、上側案内部８１によって下側から支持されつつ、前後方向の移動が制限される。同様に、下壁部７３の前端部７３Ａは、溝８２Ｂに下方から入り込む。これにより、前端部７３Ａは、後端部８２Ａ及び後壁部５４によって挟まれる。従って、下壁部７３は前後方向の移動が制限される。故に、振動抑制部材７は、溝８１Ｂ，８２Ｂに沿って左右方向にスライド可能となる。言い換えると、上側案内部８１及び下側案内部８２は、振動抑制部材７を支持し、且つ左右方向に案内できる。
【００３１】
振動抑制部材７は、後壁部７１の右端面が第二当接部８５Ｂの左端面と当接する位置（図６参照）から、後壁部７１の前端面がパッシブラジエータ５よりも右側にある位置(図２参照)までスライドできる構成となっている。また、振動抑制部材７がスライドする場合、後壁部７１の前端面は、上側案内部８１及び下側案内部８２の後端面上にある振動吸収部材８６と摺動する構成となっている。以下、後壁部７１の右端面が第二当接部８５Ｂの左端面と当接する振動抑制部材７の位置を「抑制位置」といい、後壁部７１の前端面がパッシブラジエータ５よりも右側にある振動抑制部材７の位置を「開放位置」という。図６に示すように、抑制位置において、振動抑制部材７はパッシブラジエータ５に近接し、且つパッシブラジエータ５（図２参照）を後壁部５４の外側から覆う構成となっている。また、図２に示すように、振動抑制部材７が開放位置にある場合、パッシブラジエータ５は、後壁部５４から後方へと開放される構成となっている。
【００３２】
次に、音響装置１の発音動作及び収音動作について説明する。まず、図１及び図２を参照し、音響装置１が、音楽等の音を再生する場合について説明する。ユーザは、振動抑制部材７を開放位置へとスライドさせる（図２参照）。通信機器（図示外）によって受信された音データに従って、スピーカ６は音出力部６２（図３参照）から音を前壁部４４の前方へ出力する。パッシブラジエータ５は、低音域において音出力部６２の振動板（図示外）の振動と共振することで、低音域の音を出力する。パッシブラジエータ５が出力する低音域の音は、波長が長いので、後側筐体３２から前側筐体３１へと回り込み、前方へ向かう。これにより、音響装置１は、低音域を含む音を前方へと出力し、音楽等の音を再生できる。なお、この場合、マイクロフォン４は収音動作を行わない。
【００３３】
音響装置１の小型化に伴い第一密閉室２１が縮小化すると、第一密閉室２１内にある空気の容積が制限される。この結果、磁石収納部６１に収納される磁石（図示外）は振幅が大きい往復移動をしにくくなる。従って、スピーカ６は、振幅が大きい音である低音域の音を出力しにくくなる。しかし、スピーカ６に代わってパッシブラジエータ５が低音域の音を出力するので、音響装置１は、省スペース化しつつ、低音域を含む音を出力できる。
【００３４】
また、振動抑制部材７は後壁部５４の外側に配置される。従って、振動抑制部材７が筐体３の内側に配置される場合に比較して、音響装置１は、第一密閉室２１（図３参照）内の空間を広く確保できる。その為、磁石収納部６１内の磁石（図示外）が往復運動する場合、第一密閉室２１内における空気は、圧縮の制限を受けにくい。従って、音響装置１は、良好な音質の音を出力できる。
【００３５】
次に、図６及び図７を参照し、音響装置１が音声通話に使われる場合について説明する。ユーザは、振動抑制部材７を抑制位置にスライドさせる。通信機器（図示外）によって受信された音データに従って、スピーカ６は、音出力部６２から音を出力し、遠隔地にいる他ユーザが発した音声を再生する。また、音響装置１は、マイクロフォン４が収音した音を音データへとデジタル変換した後、通信機器を介して他拠点へと該音データを送信する。これにより、ユーザは、遠隔地にいる他のユーザとハンズフリーの音声通話を行うことができる。
【００３６】
ここで、抑制位置にある振動抑制部材７は、パッシブラジエータ５に近接しながら、パッシブラジエータ５を後壁部５４の外側から覆う。また、振動吸収部材８６は、振動抑制部材７、第一当接部８５Ａ、上側案内部８１（図２参照）、及び下側案内部８２（図２参照）に接触する。従って、振動抑制部材７、第一当接部８５Ａ、上側案内部８１、下側案内部８２、及び後壁部５４によって囲まれる空間は、略密閉状態となる。すなわち、振動抑制部材７の内側にある空気と外側にある空気の連通は制限される。振動抑制部材７の内側が略密閉状態であるので、パッシブラジエータ５が振動する際に後方に湾曲し、振動抑制部材７の内側にある空気が圧縮されても、内側にある空気は外側に流出しにくい。これにより、内側の空気は圧縮される反動で、後方に湾曲するパッシブラジエータ５に対して前方へと力を加える。同様に、パッシブラジエータ５が振動する際に前方に湾曲し、振動抑制部材７の内側にある空気が膨張しても、外側にある空気が内側に流入しにくい。これにより、内側にある空気は膨張する反動で、前方に湾曲するパッシブラジエータ５に対して後方へと力を加える。つまり、内側の空気はパッシブラジエータ５の振動を減衰させる空気バネとして機能する。これにより、パッシブラジエータ５が音出力部６２の振動板の振動に応じて共振しようとしても、振動は抑制される。
【００３７】
このように、振動抑制部材７がパッシブラジエータ５を外側から覆い、振動抑制部材７の内側は略密閉状態になるので、パッシブラジエータ５が出力する低音域の音は筐体３の外側にある空気に伝播しにくい。この結果、音声通話時に、遠隔地にいる他のユーザの周囲で音楽等の音が発生しても、音響装置１は、低音域の音を筐体３の外側へ出力しにくくなる。従って、マイクロフォン４は低音域の音を収音しにくい。故に、音響装置１は、パッシブラジエータ５によって出力される低音域の音に起因する音響エコーを抑制できる。
【００３８】
また、振動吸収部材８６は抑制位置にある振動抑制部材７に、上側案内部８１の後端面、下側案内部８２の後端面、及び第一当接部８５Ａの後端面に沿って接触する。パッシブラジエータ５が低音域の音を出力し、振動抑制部材７に該音が伝播する場合であっても、振動吸収部材８６は振動抑制部材７の振動を吸収する。これにより、音響装置１は、パッシブラジエータ５が低音域の音を出力する場合であっても、パッシブラジエータ５の振動に伴って振動抑制部材７が異音を発生する事態は抑制できる。
【００３９】
次に、図３を参照し、振動抑制部材７が開放位置にある状態で、音響装置１が音声通話に使われる場合について説明する。上述したように、音響装置１が音声通話に使用される場合であっても、パッシブラジエータ５が低音域の音を出力しようとする場合がある。振動抑制部材７が開放位置にある状態で、パッシブラジエータ５が音を出力しようとすると、マイクロフォン４が、該音を収音しようとする。しかしながら、開放位置にある振動抑制部材７は、抑制位置にある場合よりも右側に位置し、マイクロフォン４に近接する。これにより、パッシブラジエータ５が出力する低音域の音は、右壁部５６，４６からマイクロフォン４へと矢印Ａ方向には回り込みにくい。従って、マイクロフォン４は、パッシブラジエータ５が出力する低音域の音を収音しにくい。故に、音響装置１は、振動抑制部材７が開放位置にある場合であっても、低音域の音に起因する音響エコーを抑制できる。
【００４０】
以上説明したように、音響装置１は、パッシブラジエータ５が音出力部６２の振動板（図示外）の振動に共振することで、低音域の音を出力できる。また、抑制位置にある振動抑制部材７がパッシブラジエータ５に近接することで、パッシブラジエータ５の振動は抑制される。従って、音響装置１は、音出力部６２から音が声出力されると同時に、筐体の外側で発生する音がマイクロフォン４に入力される場合であっても、パッシブラジエータ５によって出力される低音域の音に起因する音響エコーを抑制できる。
【００４１】
振動抑制部材７は、抑制位置において後壁部５４の外側に配置される。この状態で、パッシブラジエータ５が低音域の音を出力する場合であっても、後壁部５４の外側にある空気に伝播しにくい。従って、パッシブラジエータ５が出力する音を、マイクロフォン４は収音しにくくなる。それ故、音響装置１は、パッシブラジエータ５によって出力される低音域の音に起因する音響エコーを更に抑制できる。また、振動抑制部材７が後壁部５４の内側に設けられる場合と比較して、音響装置１は、第一密閉室２１内部の空間を広く確保できる。その為、スピーカ６の音出力部６２が、音を出力する際に、第一密閉室２１内部の空気の圧縮が制限されにくい。従って、音響装置１は、良好な音質の音を出力できる。
【００４２】
また、振動抑制部材７が抑制位置にある場合、パッシブラジエータ５は、後壁部７１、上壁部７２、下壁部７３及び第一当接部８５Ａによって囲まれる。これにより、パッシブラジエータ５は、振動抑制部材７の外側にある空気との接触を制限される。従って、パッシブラジエータ５が出力する音は、振動抑制部材７の外側にある空気にさらに伝播しにくくなる。故に、音響装置１は、パッシブラジエータ５によって出力される低音域の音に起因する音響エコーを更に抑制できる。
【００４３】
また、振動抑制部材７は、抑制位置においてパッシブラジエータ５から離間している。これにより、音響装置１は、抑制位置にある振動抑制部材７の内側にある空気と外側にある空気との連通を制限し、且つ、内側にある空気を外側に漏れにくくする。すなわち、振動抑制部材７の内側は略密閉状態になり、内側にある空気は、パッシブラジエータ５の振動を吸収する空気バネとして機能する。この結果、パッシブラジエータ５の振動は更に制限される。故に、音響装置１は、パッシブラジエータ５によって出力される低音域の音に起因する音響エコーを更に抑制できる。また、振動抑制部材７がパッシブラジエータ５から離間しているので、パッシブラジエータ５の振動が振動抑制部材７に直接伝播することはない。従って、音響装置１は、パッシブラジエータ５の振動に伴って、振動抑制部材７が異音を発生するという事態を抑制できる。
【００４４】
また、振動抑制部材７は上側案内部８１及び下側案内部８２に沿って、抑制位置と開放位置との間を左右方向にスライド可能である。従って、ユーザは、パッシブラジエータ５の振動が抑制される状態と、振動が抑制されない状態との切替えが容易にできる。故に、音響装置１は、操作性を向上できる。
【００４５】
また、開放位置にある振動抑制部材７は、抑制位置にある場合に比較して右側に位置する。マイクロフォン４は、パッシブラジエータ５よりも右側の第二密閉室２２内に設けられる。すなわち、マイクロフォン４は、振動抑制部材７が抑制位置から開放位置へとスライドする方向に、パッシブラジエータ５から離間して筐体３の内側に設けられる。これにより、振動抑制部材７は、開放位置へとスライドする場合に、抑制位置にある場合と比較してマイクロフォン４に接近する。従って、振動抑制部材７が開放位置にある状態で、パッシブラジエータ５が低音域の音を出力する場合であっても、該音はマイクロフォン４に伝播しにくい。従って、音響装置１は、振動抑制部材７が開放位置にある場合であっても、パッシブラジエータ５によって出力される低音域の音に起因する音響エコーを抑制できる。
【００４６】
また、振動吸収部材８６は、パッシブラジエータ５の振動に伴って抑制位置にある振動抑制部材７が振動する場合であっても、該振動を吸収する。従って、音響装置１は、パッシブラジエータ５の振動に伴って振動抑制部材７が異音を発生する事態を更に抑制できる。
【００４７】
なお、本実施形態において、後壁部５４が本発明の「壁部」に相当し、開口孔２０が本発明の「開口孔」に相当し、上側案内部８１及び下側案内部８２が本発明の「支持部」及び「一対の案内部」に相当し、マイクロフォン４が本発明の「音入力部」に相当し、抑制位置が本発明の「第一位置」に相当し、開放位置が本発明の「第二位置」に相当する。
【００４８】
なお、本発明は上記実施形態に限定されるものではなく、種々の変更が可能である。上記施形態において、音響装置１は、マイクロフォン４を備えるがこれに限られない。例えば、音響装置１は、音響装置１から離間するマイクロフォンと、ケーブルを介して電気的に接続するためのジャックを、マイクロフォン４に代えて備えてもよい。また、音響装置１は、音響装置１から離間するマイクロフォンが収音した音データを無線通信等によって受信する受信部を、マイクロフォン４に代えて備えてもよい。
【００４９】
上記実施形態において、第一密閉室２１に設けられるパッシブラジエータ５は、後壁部５４から後方に露出するがこれに限られない。例えば、前壁部４４から前方に露出してもよい。この場合、パッシブラジエータ５は、スピーカ６に隣接しつつ、第一密閉室２１内の空間を共有する。また、パッシブラジエータ５は、第二密閉室２２に設けられてもよい。この場合、スピーカ６は、第二密閉室２２に設けられ、パッシブラジエータ５と第二密閉室２２内の空間を共有する。
【００５０】
本実施形態における振動抑制部材７の抑制位置は、パッシブラジエータ５に後方から近接する位置であるが、これに限られない。例えば、抑制位置において振動抑制部材７は、パッシブラジエータ５に後方から接触してもよい。この場合、振動抑制部材７が、直接パッシブラジエータ５を押えつけることで、パッシブラジエータ５の振動を抑制できる。
【００５１】
本実施形態において、上側案内部８１及び下側案内部８２は、後壁部５４の後端面を左右方向に延びる凸状であるが、これに限られない。例えば、上側案内部８１及び下側案内部８２は、後壁部５４の後端面を上下方向に延びる凸状であってもよい。この場合、振動抑制部材７は、上下方向に移動することで、抑制位置と開放位置との間をスライド可能となる。また、上側案内部８１及び下側案内部８２は凸状でなくともよく、後壁部５４に設けた溝部であってもよい。
【符号の説明】
【００５２】
１    音響装置
３    筐体
４    マイクロフォン
５    パッシブラジエータ
６    スピーカ
７    振動抑制部材
２０    開口孔
５４    後壁部
８１    上側案内部
８２    下側案内部
８６    振動吸収部材
【図１】
2014150473.tif 000003
【図２】
2014150473.tif 000004
【図３】
2014150473.tif 000005
【図４】
2014150473.tif 000006
【図５】
2014150473.tif 000007
【図６】
2014150473.tif 000008
【図７】
2014150473.tif 000009